(57)【特許請求の範囲】
【請求項１】
固定カムの下降によって案内カムと加工カムとを加工位置まで移動させてワークを曲げ加工するとともに、加工後は前記固定カムの上昇によって案内カムと加工カムとをそれぞれ元の位置へ移動させてワークを取り出す形式のプレス型であって、
ワークの曲げ加工部の外形形状そのものに前記案内カムの戻り方向に対する負角がある場合に、この負角の部分を案内カムに設けたロータリーカムと、このロータリーカムを加工位置まで回転させる上吊りカムとによって曲げ加工可能とし、上吊りカムがロータリーカムから離れてこのロータリーカムが前記加工位置から元の方向へ回転して前記負角の部分から離れた状態で、前記案内カムを戻すように構成されていることを特徴とするプレス型。
【請求項２】
固定カムの下降によって案内カムと加工カムとを加工位置まで移動させてワークを曲げ加工するとともに、加工後は前記固定カムの上昇によって案内カムと加工カムとをそれぞれ元の位置へ移動させてワークを取り出す形式のプレス型であって、
ワークの曲げ加工部の外形が前記案内カムの戻り方向に沿って僅かに外側へ膨らむように湾曲した形状である場合に、この湾曲部分を案内カムに設けたロータリーカムと、このロータリーカムを加工位置まで回転させる上吊りカムとによって曲げ加工可能とし、上吊りカムがロータリーカムから離れてこのロータリーカムが前記加工位置から元の方向へ回転して前記湾曲部分から離れた状態で、前記案内カムを戻すように構成されていることを特徴とするプレス型。
【発明の詳細な説明】
【０００１】
【発明の属する技術分野】
本発明は、曲げ加工部に負角が生じているワークの取り出しを可能としたダブルカム形式のプレス型に関する。
【０００２】
【従来の技術】
例えば実開昭６１−８２７２０号公報には、上型に設けられた加工カムと下型に設けられた案内カムとによって曲げ加工を行うダブルカム形式のプレス型が開示されている。また特開平４−２５８３１６号公報には、プレス型において下型に設けられたロータリーカムにスライド型を接近させて曲げ加工を行う技術が開示されている。
【０００３】
図７は一般的なダブルカム形式の曲げ加工用プレス型を表した構成図である。この図面で示すようにプレス型は案内カム５０、加工カム５２及び固定カム５４によって構成されている。そして図７（Ａ）で示すように固定カム５４の下降により、案内カム５０を矢印ａの方向へ移動させると同時に加工カム５２を矢印ｂの方向へ移動させてワーク３０を寄せ曲げ加工する。曲げ加工の完了後は図７（Ｂ）で示すように固定カム５４が上昇し、案内カム５０及び加工カム５２がスプリング力などによって元の方向（矢印ｃ，ｄ方向）に戻される。このとき案内カム５０はワーク３０の内側に入り込む方向へ戻されるので、ワーク３０の曲げ加工部３２に負角が生じていてもその取り出しが可能である。
【０００４】
【発明が解決しようとする課題】
しかしながら図８で示すようにワーク３０の曲げ加工部３２の平面形状そのものに、前記案内カム５０の戻りを不能とする負角がある場合、この負角の部分３４と案内カム５０とが干渉することとなる。したがってこのような負角の部分３４を前記案内カム５０と加工カム５２とによって一工程で寄せ曲げすることは不可能である。
【０００５】
請求項１記載の発明の目的は、ワークの外形形状そのものに案内カムの戻りを不能とする負角がある場合でも、案内カムをワークと干渉させることなく戻すことを可能とし、このような負角の部分を有するワークの曲げ加工を一工程で実現することである。
【０００６】
請求項２記載の発明の目的は、ワークの曲げ加工部の外形が前記案内カムの戻り方向に沿って僅かに外側へ膨らむように湾曲した形状である場合に、案内カムを少し戻すだけでワークの曲げ加工部から案内カムを外すことを可能とすることである。
【０００７】
【課題を解決するための手段】
請求項１記載の発明は、固定カムの下降によって案内カムと加工カムとを加工位置まで移動させてワークを曲げ加工するとともに、加工後は前記固定カムの上昇によって案内カムと加工カムとをそれぞれ元の位置へ移動させてワークを取り出す形式のプレス型であって、ワークの曲げ加工部の外形形状そのものに前記案内カムの戻り方向に対する負角がある場合に、この負角の部分を案内カムに設けたロータリーカムと、このロータリーカムを加工位置まで回転させる上吊りカムとによって曲げ加工可能とし、上吊りカムがロータリーカムから離れてこのロータリーカムが前記加工位置から元の方向へ回転して前記負角の部分から離れた状態で、前記案内カムを戻すように構成されていることを特徴とする。
この構成によれば、ワークの曲げ加工後において、まず、上吊りカムの上昇に伴ってロータリーカムが元の方向へ回転することにより、このロータリーカムがワークの負角の部分から離れる。したがって、その後に固定カムが案内カムから離れて上昇すると、ロータリーカムは既に負角の部分から離れているため、案内カムはロータリーカムと共にワークの内側に入り込む方向へ戻される。これにより、案内カムをワークの前記負角の部分に干渉させることなく戻すことができ、このような負角の部分を有するワークの曲げ加工を一工程で行うことができる。
【０００８】
請求項２記載の発明は、固定カムの下降によって案内カムと加工カムとを加工位置まで移動させてワークを曲げ加工するとともに、加工後は前記固定カムの上昇によって案内カムと加工カムとをそれぞれ元の位置へ移動させてワークを取り出す形式のプレス型であって、ワークの曲げ加工部の外形が前記案内カムの戻り方向に沿って僅かに外側へ膨らむように湾曲した形状である場合に、この湾曲部分を案内カムに設けたロータリーカムと、このロータリーカムを加工位置まで回転させる上吊りカムとによって曲げ加工可能とし、上吊りカムがロータリーカムから離れてこのロータリーカムが前記加工位置から元の方向へ回転して前記湾曲部分から離れた状態で、前記案内カムを戻すように構成されていることを特徴とする。
【０００９】
このようにワークの曲げ加工部に前記のような湾曲部分があっても、前記案内カムを少し戻すだけでワークの曲げ加工部から案内カムが外れ、ワークを取り出すことができる。この案内カムの戻しストロークを小さく抑えれることは、案内カムの戻り位置の近くに例えば抜き加工用のダイスが設置されているような場合に有利である。なぜなら従来の技術ではワークの曲げ加工部に前記のような湾曲部分があるとき、案内カムの戻しストロークが大きくなってしまい、このストロークを確保しつつ案内カムと前記ダイスとの干渉を避けるためには案内カムの肉厚を薄くする必要があるが、本発明では案内カムの肉厚（強度）に何らの影響も受けない。
【００１０】
【発明の実施の形態】
以下、本発明の実施の形態を説明する。
図１は本実施の形態の寄せ曲げ加工用プレス型を表した斜視図である。この図面で示すプレス型も基本的にはダブルカム形式であって、下型（図示外）側に移動可能に組み付けられた案内カム１０と、この案内カム１０に組み付けられた加工カム１２と、上型（図示外）に固定された固定カム１４とを備えている。この固定カム１４が下降することにより、案内カム１０と加工カム１２とが図７の場合と同じように移動してワークが寄せ曲げ加工される。そして本実施の形態では前記案内カム１０の一部にロータリーカム１６が設けられ、このロータリーカム１６に対応する上吊りカム１８が上型に組み付けられている。
【００１１】
図２はプレス型によって寄せ曲げ加工されたワーク３０の一部を表した平面図である。この図面で示すようにワーク３０の曲げ加工部３２には、その平面形状そのものに前記案内カム１０の戻り方向（矢印ｃ方向）に対して負角となる部分３４がある。この負角の部分３４については前記加工カム１２では寄せ曲げ加工ができないので、負角の部分３４と対応する案内カム１０の個所に前記ロータリーカム１６が設けられている。このロータリーカム１６に対して前記上吊りカム１８が矢印ｅ方向から接近して負角の部分３４の寄せ曲げ加工が行われることとなる。
【００１２】
そこで前記のプレス型による寄せ曲げ加工について説明すると、すでに説明したように前記固定カム１４の下降によって案内カム１０が加工位置に移動する。その状態を維持したまま、前記上吊りカム１８が前記ロータリーカム１６に対して図３（Ａ）で示すように接触する。さらに図３（Ｂ）で示すように上吊りカム１８が移動してロータリーカム１６をその加工位置まで回転させるとともに、ワーク３０の寄せ曲げ加工を行う。
【００１３】
この後、上吊りカム１８が上昇してロータリーカム１６から離れると、図３（Ｃ）で示すようにロータリーカム１６がスプリング力などによって元の方向へ回転する。このロータリーカム１６の回転復帰により、図４で示すように、最初にワーク３０の負角の部分３４からロータリーカム１６の加工面が離れる。
つづいて、固定カム１４が案内カム１０から離れて上昇することにより、ロータリーカム１６は既に負角の部分３４から離れているため、案内カム１０はロータリーカム１６と共にワーク３０の内側に入り込む方向へ戻される。したがって、案内カム１０およびロータリーカム１６は、図３（Ｄ）および図４で示すようにワーク３０の負角の部分３４を含めた曲げ加工部３２に干渉することなく戻り、ワーク３０の取り出しが可能となる。この結果、負角の部分３４を有するワーク３０の寄せ曲げ加工を一工程で行うことができる。
【００１４】
図５にワーク３０の一部が平面図で示されている。この図面で示すようにワーク３０における曲げ加工部３２の外形は、前記案内カム１０の戻り方向に沿って僅かに外側へ膨らんだ湾曲部分３６を有している。この場合に案内カム１０を矢印ｃ方向へ戻してワーク３０の曲げ加工部３２から外すためには、図５（Ａ）で示す一般的なプレス型では案内カム１０の戻しストロークＳ１が大きくなってしまう。
【００１５】
そこで図５（Ｂ）で示すように前記湾曲部分３６を案内カム１０に設けたロータリーカム１６と、このロータリーカム１６を加工位置まで回転させる上吊りカム（図示外）とによって寄せ曲げ加工し、加工後にロータリーカム１６が前記のように元の方向へ回転して湾曲部分３６から離れた状態で前記案内カム１０を戻すこととする。これによって案内カム１０の戻しストロークＳ２は、図５（Ａ）で示す場合と比べて著しく小さくなる。
【００１６】
図６で示すように案内カム１０の戻り位置の近くに下型２０に固定された穴抜き加工用のダイス２２が設置されているようなプレス型では、図５（Ａ）で示す場合は前記の大きな戻しストロークＳ１を確保しつつ案内カム１０と前記ダイス２２との干渉を避けるために案内カム１０の肉厚Ｍ１を図６の実線で示すように薄くする必要がある。これに対して図５（Ｂ）で示す場合は案内カム１０の戻しストロークＳ２が小さくて済むので、案内カム１０の肉厚Ｍ２を図６の仮想線で示すように充分にとっても前記穴抜き加工用ダイス２２と案内カム１０とが干渉するのを避けることができる。
【図面の簡単な説明】
【図１】曲げ加工用プレス型を表した斜視図。
【図２】ワークの曲げ加工部の平面形状を型部材と共に表した平面図。
【図３】ロータリーカムと上吊りカムとによる曲げ加工の動きを表した説明図。
【図４】加工完了後のロータリーカムとワークとの関係を表した構成図。
【図５】ワークの一部を表した平面図。
【図６】案内カムの戻りストロークとその肉厚との関係を表した説明図。
【図７】一般的なダブルカム形式の曲げ加工用プレス型を表した構成図。
【図８】ワークの曲げ加工部の平面形状を表した平面図。
【符号の説明】
１０  案内カム
１２  加工カム
１４  固定カム
１６  ロータリーカム
１８  上吊りカム
３０  ワーク
３２  曲げ加工部
３４  負角の部分
３６  湾曲部分
【図１】
0003546638.tif 000002
【図２】
0003546638.tif 000003
【図３】
0003546638.tif 000004
【図４】
0003546638.tif 000005
【図５】
0003546638.tif 000006
【図６】
0003546638.tif 000007
【図７】
0003546638.tif 000008
【図８】
0003546638.tif 000009